(57)【要約】【課題】  オゾンの殺菌・消臭能力を効果的に発揮させることができるようにする。【解決手段】  本発明の殺菌・消臭機能付き仮設トイレ１は、汚物Ｗを排出口１３ａから排出可能に構成されるとともに、該排出口１３ａを開閉可能なフラッパ１３ｂを有する便器１３と、排出口１３ａの下方に設けられた受入口２ａから該汚物Ｗを受入可能に構成された便槽２とを備えている。排出口１３ａの開口よりも水平断面を拡大させてなる膨出形状空間１５ａを形成する通路１５で排出口１３ａと受入口２ａの間を気密性を持たせるように連結するとともに、殺菌・消臭装置１６により該膨出形状空間１５ａにオゾンを注入するように構成している。【選択図】      図１
2014014411.tif 000002
【特許請求の範囲】
【請求項１】
汚物を排出口から排出可能に構成されるとともに、該排出口を開閉可能なフラッパを有する便器と、
前記排出口の下方に設けられた受入口から該汚物を受入可能に構成された便槽とを備えた殺菌・消臭機能付きトイレであって、
前記排出口の開口よりも水平断面を拡大させてなる膨出形状空間を形成する通路で、該排出口と該受入口の間を、気密性を持たせるように連結するとともに、
該膨出形状空間にオゾンを注入するように構成した殺菌・消臭機能付きトイレ。
【請求項２】
前記膨出形状空間は、その出口側の水平断面が縮小されてなる請求項１記載の殺菌・消臭機能付きトイレ。
【請求項３】
前記通路は、前記排出口及び前記受入口に対して着脱可能に構成されており、
前記通路の両端部には、前記排出口及び前記受入口との接合部をそれぞれシールするシール部材が設けられた請求項１又は２記載の殺菌・消臭機能付きトイレ。
【発明の詳細な説明】
【技術分野】
【０００１】
本発明は、オゾンにより殺菌・消臭を行うように構成された殺菌・消臭機能付きトイレに関するものである。
【背景技術】
【０００２】
特許文献１には、仮設トイレのボックス天井部にオゾン発生器を設置し、ボックス内にオゾンを放出させ、仮設トイレの消臭を行うことが記載されている。また、特許文献２には、トイレ外にオゾン発生器を設置し、給水タンクの正面及び底面の２箇所にオゾン吹き出し口を設け、便座上面と、便座下側部分及び周辺床面に向けてオゾンを吹き出させ、当該箇所の殺菌を行うことが記載されている。特許文献３には、便器の近傍にオゾン発生器を設置し、便蓋にオゾンの吹き出し口を有するパッドを設置し、便蓋を閉じたとき便座上及び便器内にオゾンを吹き出させ、殺菌及び消臭を行うことが記載されている。特許文献４には、便器近傍にオゾン脱臭装置を設置し、便器内の臭気を吸引してオゾンで脱臭することが記載されている。特許文献５には、ドアパネルの中空内部に殺菌・消臭装置を設置し、オゾンにより仮設トイレのドアノブの殺菌・消臭を行うことが記載されている。
【先行技術文献】
【特許文献】
【０００３】
【特許文献１】特開２００２−３０６３７１号公報
【特許文献２】特開２００２−２５３６４６号公報
【特許文献３】特開２００１−２４８２０２号公報
【特許文献４】特開平９−３２８８０１号公報
【特許文献５】特開２０１１−２５１０２３号公報
【発明の概要】
【発明が解決しようとする課題】
【０００４】
仮設トイレは主として屋外で不特定多数の人々により使用され、清掃等も行き届かないため、一般家庭のトイレやビル内等のトイレに比べて有害菌やウイルスによって汚染される可能性が比較的高く、臭気も強い。特許文献１〜５に記載されているように、オゾンをトイレの室内、便器の内部、便器表面、ドアノブなどに放出することにより、脱臭効果を得ることができ、また、空気中に浮遊する有害菌やウイルスの殺菌（減菌を含む）の効果をある程度見込むことができる。そして、オゾンにより殺菌・消臭を行う場合、オゾン濃度が高いほど大きな殺菌・消臭効果が得られる。
【０００５】
しかしながら、オゾン濃度の高いガスは人体にとって有害であるため、特許文献１〜５に記載されているように、人が居る空間やその空間と常時連通している空間にオゾンを放出する場合は、オゾン濃度高さが制限され、オゾンの殺菌・消臭能力を効果的に発揮させることができないという課題がある。
【課題を解決するための手段】
【０００６】
前記課題を解決するために、本発明の殺菌・消臭機能付きトイレは、
汚物を排出口から排出可能に構成されるとともに、該排出口を開閉可能なフラッパを有する便器と、
前記排出口の下方に設けられた受入口から該汚物を受入可能に構成された便槽とを備えた殺菌・消臭機能付きトイレであって、
前記排出口の開口よりも水平断面を拡大させてなる膨出形状空間を形成する通路で、該排出口と該受入口の間を、気密性を持たせるように連結するとともに、
該膨出形状空間にオゾンを注入するように構成している。
【０００７】
この構成によれば、次の作用効果が得られる。
（ａ）前記フラッパを備えた前記排出口と前記便槽との間に設けられた前記膨出形状空間にオゾンを注入するように構成されているので、便の排出時を除けば該膨出形状空間は人が居る空間と前記フラッパで仕切られている。このように、人が居る空間と常時連通していない空間にオゾンを放出するように構成されているので、従来よりもオゾン濃度を高めることができ、オゾンの殺菌・消臭能力を効果的に発揮させることができる。
（ｂ）オゾンは空気の主要成分である窒素や酸素よりも重いが、便槽内では便が発酵することによる発熱で温められた空気が上昇しており、この空気の流れがオゾンを前記膨出形状空間内に閉じ込めるように作用する。このため、本発明の構成によれば、オゾンに殺菌・消臭能力を効果的に発揮させることができる。
（ｃ）前記膨出形状空間の容量は前記便槽の容量よりも小さいことが好ましく、そうすれば、少量のオゾンでも殺菌・消臭能力を効果的に発揮させることができる。しかも、前記膨出形状空間の容量が小さければ、前記排出口を通じて人が居る空間にオゾンが流出した場合でも流出量が少なく済み、人が居る空間のオゾン濃度の急激な上昇を防止できる。
【０００８】
前記殺菌・消臭機能付きトイレとしては、
前記膨出形状空間は、その出口側の水平断面が縮小されてなる態様を例示する。
【０００９】
この構成によれば、オゾンが前記膨出形状空間内に留まりやすくなるので、オゾンの殺菌・消臭能力を効果的に発揮させることができる。
【００１０】
前記殺菌・消臭機能付きトイレとしては、
前記通路は、前記排出口及び前記受入口に対して着脱可能に構成されており、
前記通路の両端部には、前記排出口及び前記受入口との接合部をそれぞれシールするシール部材が設けられた態様を例示する。
【００１１】
この構成によれば、前記通路が着脱可能に構成されているので、メンテナンスが容易になる。
【発明の効果】
【００１２】
本発明に係る殺菌・消臭機能付きトイレによれば、オゾンの殺菌・消臭能力を効果的に発揮させることができるという優れた効果を奏する。
【図面の簡単な説明】
【００１３】
【図１】本発明を具体化した一実施形態に係る殺菌・消臭機能付き仮設トイレの要部を示す側断面図である。
【図２】同トイレの通路及び便槽を正面側から見た斜視図である。
【発明を実施するための形態】
【００１４】
図１及び図２は本発明を具体化した一実施形態の殺菌・消臭機能付き仮設トイレを示している。この仮設トイレ１は、公共の場所、工事現場、イベント会場、パーキング、被災地など、様々な場所に設置されるものであり、汚物Ｗを溜める便槽２と、その上に設置されたトイレボックス３と、トイレボックス内に設置された便器ユニット４とを備えている。
【００１５】
便器ユニット４は、フロアパネル１１と、その上に設置された踏み台１２及び便器１３とが結合されてなっている。
【００１６】
便器１３は、汚物Ｗを下側の排出口１３ａから排出可能に構成されるとともに、該排出口１３ａを開閉可能なフラッパ１３ｂを有している。図１に示すように、本例の便器１３は和式となっているが、洋式にしてもよい。また、本例の便器１３は非水洗式となっているが、水洗式にしてもよい。本例のフラッパ１３ｂは、汚物Ｗが乗るとその重量で開くように構成されているが、水洗式にする場合は水洗操作されたときに自動的に開くように構成してもよい。
【００１７】
便槽２は、３５０リットルの容量を備えており、排出口１３ａの下方に設けられた受入口２ａから該汚物Ｗを受入可能に構成されるとともに、後部に設けられた汚物取出口２ｂから汚物Ｗを取り出し可能に構成されている。汚物取出口２ｂは蓋２ｃで密封されている。
【００１８】
本例の仮設トイレ１においては、排出口１３ａの開口よりも水平断面を拡大させてなる膨出形状空間１５ａを形成する通路１５で、便器１３の排出口１３ａと便槽２の受入口２ａの間を、気密性を持たせるように連結するとともに、該膨出形状空間１５ａに殺菌・消臭装置１６から放出されるオゾンを注入するように構成している。本例の通路１５は、略ドーム形状に形成されており、該ドーム形状の上端部に便器１３の排出口１３ａが貫入可能な開口１５ｂが形成されている。また、該ドーム形状の下端部の開口１５ｃは、便槽２の受入口２ａの開口よりも大きく形成されており、これにより膨出形状空間１５ａは、その出口側の水平断面が縮小されてなっている。通路１５における上端部の開口１５ｂの周縁部には、排出口１３ａの外周縁部との接合部をシールするシール部材１８が設けられる一方、下端部の開口１５ｃの周縁部には、受入口２ａの外周縁部との接合部をシールするシール部材１９が設けられている。通路１５におけるオゾンの注入口１５ｄは、オゾンが空気の主要成分である窒素や酸素よりも重いことから、膨出形状空間１５ａの上部に開口するように設けているが、これに特に限定されず、膨出形状空間１５ａの側部や下部に開口するように設けてもよい。本例では、膨出形状空間１５ａの容量は約１０リットルとなっている。
【００１９】
殺菌・消臭装置１６は、オゾン発生器１６ａ、ファン１６ｂ、及び、通路１５に接続された通気経路１６ｃ（通気管）からなる。オゾン発生器１６ａで発生されたオゾンは、ファン１６ｂにより通気経路１６ｃに送り出され、通気経路１６ｃを通って膨出形状空間１５ａの中に注入される。殺菌・消臭装置１６の電源としては、商用電源又は仮設トイレ１に設置した太陽電池や蓄電池等の各種電源が利用できる。殺菌・消臭装置１６を動作させるタイミングとしては、特に限定されないが、常時動作させる態様、仮設トイレ１のドアが動かされたときに動作させる態様、仮設トイレ１の室内にいる人をセンサで検知して動作させる態様、水洗式便器を採用している場合において水洗操作されたときに動作させる態様等を例示する。
【００２０】
以上のように構成された本例の殺菌・消臭機能付き仮設トイレ１によれば、次の作用効果が得られる。
（ａ）フラッパ１３ｂを備えた排出口１３ａと便槽２との間に設けられた膨出形状空間１５ａにオゾンを注入するように構成されているので、便の排出時を除けば該膨出形状空間１５ａは人が居る空間とフラッパ１３ｂで仕切られている。このように、人が居る空間と常時連通していない空間にオゾンを放出するように構成されているので、従来よりもオゾン濃度を高めることができ、オゾンの殺菌・消臭能力を効果的に発揮させることができる。これにより、例えば、便槽２の内部の臭いのトイレ室内やトイレ周辺への漏れを抑制できるとともに、大腸菌や黄色ブドウ球菌等の菌の殺菌効果を得ることができる。
（ｂ）オゾンは空気の主要成分である窒素や酸素よりも重いが、便槽２の中では便が発酵することによる発熱で温められた空気が上昇しており、この空気の流れがオゾンを膨出形状空間１５ａの中に閉じ込めるように作用する。このため、本発明の構成によれば、オゾンに殺菌・消臭能力を効果的に発揮させることができる。
（ｃ）膨出形状空間１５ａの容量は便槽２の容量よりも小さく形成（本例では、約１／３５に形成）されているので、少量のオゾンでも殺菌・消臭能力を効果的に発揮させることができる。しかも、膨出形状空間１５ａの容量が小さいので、排出口１３ａを通じて人が居る空間にオゾンが流出した場合でも流出量が少なく済み、人が居る空間のオゾン濃度の急激な上昇を防止できる。
【００２１】
また、膨出形状空間１５ａは、その出口側の水平断面が縮小されてなっており、オゾンが膨出形状空間１５ａの中に留まりやすくなるので、オゾンの殺菌・消臭能力を効果的に発揮させることができる。
【００２２】
また、通路１５は、排出口１３ａ及び受入口２ａに対して着脱可能に構成されているので、メンテナンスが容易になっている。
【００２３】
なお、本発明は前記実施形態に限定されるものではなく、例えば以下のように発明の趣旨から逸脱しない範囲で適宜変更して具体化することもできる。
（１）列車、船舶、車両等の移動体に設けられたトイレに本発明を適用すること。
（２）内部に膨出形状空間を有する膨出形状部を、上下方向に延びる管状体の途中に設けてなる態様の通路とすること。
【符号の説明】
【００２４】
１    殺菌・消臭機能付き仮設トイレ
２    便槽
２ａ  受入口
２ｂ  汚物取出口
２ｃ  蓋
３    トイレボックス
４    便器ユニット
１１    フロアパネル
１２    踏み台
１３    便器
１３ａ  排出口
１３ｂ  フラッパ
１５    通路
１５ａ  膨出形状空間
１５ｂ  開口
１５ｃ  開口
１５ｄ  注入口
１６    殺菌・消臭装置
１６ａ  オゾン発生器
１６ｂ  ファン
１６ｃ  通気経路
１８    シール部材
１９    シール部材
Ｗ    汚物
【図１】
2014014411.tif 000003
【図２】
2014014411.tif 000004